(57)【要約】【課題】部品管理コストが増大しないで、ゴムボタンを取り付ける作業が１回で終了する緩衝器を提供する。【解決手段】緩衝器本体１１０の一端部に形成された雄ネジ部１１０ａが固定部材１２０の筒部１２０ｄの内周に形成された雌ネジ部１２０ａに螺合することによって、緩衝器本体１１０と固定部材１２０とが一体化され、緩衝器１０として構成されているので、固定部材１２０の座部１２０ｂの固定面１２０ｅから緩衝器本体１１０の当接面１１０ｂまでの距離を、緩衝器本体１１０の雄ネジ部１１０ａを固定部材１２０の雌ネジ部１２０ａに対して螺合方向または反螺合方向に回転させることによって調整できる。したがって、例えば鍵盤蓋もしくは上前板が反りや捩れを有している場合であっても、保管する緩衝器１０の種類数は少なくてよい。また、緩衝器１０の取り付け作業は繰り返し発生しない。【選択図】図２
2008015171.tif 000002
【特許請求の範囲】
【請求項１】
鍵盤楽器本体と前記鍵盤楽器本体の一部を開放可能な開閉部材との間に配設され、前記鍵盤楽器本体に当接する前記開閉部材を緩衝する緩衝器であって、
前記鍵盤楽器本体に当接する前記開閉部材を緩衝するための緩衝器本体と、
前記鍵盤楽器本体または前記開閉部材のいずれか一方と前記緩衝器本体との間に配設され、その一部が前記鍵盤楽器本体または前記開閉部材のいずれか一方に固定可能な固定部材と、
前記固定部材が前記鍵盤楽器本体または前記開閉部材のいずれか一方に固定される固定面から前記緩衝器本体が前記鍵盤楽器本体または前記開閉部材のいずれか他方と当接する当接面までの距離を調整可能な調整機構と、
を備えることを特徴とする緩衝器。
【請求項２】
請求項１に記載の緩衝器において、
前記調整機構は、前記緩衝器本体または前記固定部材のいずれか一方が有する雄ネジ部と、前記緩衝器本体または前記固定部材のいずれか他方が有する前記雄ネジ部に螺合可能な雌ネジ部とから構成されていることを特徴とする緩衝器。
【請求項３】
請求項２に記載の緩衝器において、
前記固定部材は、前記固定面から突出し、前記鍵盤楽器本体または前記開閉部材のいずれか一方に鋲差し可能な針部を有することを特徴とする緩衝器。
【請求項４】
請求項２に記載の緩衝器において、
前記固定部材は、前記固定面に設けられ、前記鍵盤楽器本体または前記開閉部材のいずれか一方に接着可能な粘着部を有することを特徴とする緩衝器。
【請求項５】
請求項２に記載の緩衝器において、
前記固定部材は、前記鍵盤楽器本体または前記開閉部材のいずれか一方が有する雄ネジ部または雌ネジ部に螺合可能なネジ部を有することを特徴とする緩衝器。
【請求項６】
鍵盤楽器本体と前記鍵盤楽器本体の一部を開放可能な開閉部材との間に請求項１〜請求項５のいずれかに記載された緩衝器が配設されていることを特徴とする鍵盤楽器。
【請求項７】
請求項６に記載の鍵盤楽器において、
前記開閉部材は、鍵盤を開放可能な鍵盤蓋であることを特徴とする鍵盤楽器。
【請求項８】
請求項６または請求項７に記載の鍵盤楽器において、
前記開閉部材は、前記鍵盤楽器本体の内部を開放可能な屋根であることを特徴とする鍵盤楽器。
【発明の詳細な説明】
【技術分野】
【０００１】
本発明は鍵盤楽器本体に当接する例えば鍵盤蓋や屋根などの開閉部材を緩衝するための緩衝器に関するものであり、特に複数の緩衝器によって開閉部材を略均等に緩衝する技術に関する。
【背景技術】
【０００２】
従来より、鍵盤楽器本体に当接する例えば鍵盤蓋や屋根などの開閉部材を緩衝するための緩衝器が知られている。例えば鍵盤を開放する位置と閉鎖する位置との間で回動可能な鍵盤蓋を備えた鍵盤楽器において、鍵盤蓋を開蓋すると当接する鍵盤蓋の背面と上前板とを緩衝するために上前板に固定されている緩衝器としてのゴムボタンがある（例えば特許文献１参照）。また、鍵盤蓋を閉蓋すると当接する鍵盤蓋の下面と口棒との衝撃を緩衝するために拍子木の上面に固定されているゴムボタンがある（例えば特許文献２参照）。
【０００３】
ここで、従来の鍵盤楽器のゴムボタンについて例を挙げて説明する。図２（ｄ）は、従来のゴムボタン６０の縦断面図である。ゴムボタン６０は、図２（ｄ）に例示するように、固定部材６２０と、緩衝器本体６１０とから構成されている。この固定部材６２０は、例えば鉄材などの剛性の高い材料からなり、画鋲の形状をなし、略円板形状の座部６２０ｂとこの座部６２０ｂの表面の略中央部から突出した針部６２０ｃとを有している。また、緩衝器本体６１０は、例えばネオプレンゴムなどの弾性材料によって固定部材６２０の座部６２０ｂのみを包み込み、針部６２０ｃを突出するようにインサート成形されたものであって、略円盤形状をなし、針部６２０ｃを突出する固定面６１０ｃと、この固定面６１０ｃの裏側に当接面６１０ｂとを有している。よって、この固定面６１０ｃから当接面６１０ｂまでの距離を調整できるように構成されていない。
【０００４】
そして、緩衝器本体６１０の固定面６１０ｃを例えば上前板の表面に密着するまで、その固定部材６２０が有する針部６２０ｃを上前板へ鋲差しすることによって、ゴムボタン６０は上前板に固定される。
【特許文献１】特開平９−６２２５２号公報（第３頁、図２）
【特許文献２】特開平９−２１２１５６号公報（第２頁、図５）
【発明の開示】
【発明が解決しようとする課題】
【０００５】
しかし、従来のゴムボタン６０では、上述したように緩衝器本体６１０が有する固定面６１０ｃから当接面６１０ｂまでの距離を調整できなかった。つまり、ゴムボタン６０の厚さを調整できない。よって、例えば複数の同じ厚みを有するゴムボタンが上前板に固定されている場合には、鍵盤蓋を略均等に緩衝できない場合があった。その理由は、例えば鍵盤蓋もしくは上前板が反りや捩れを有している場合には、鍵盤蓋を開蓋する際に鍵盤蓋の背面と上前板との距離が、鍵盤蓋の左右方向の位置によって相違するからである。そのため、例えば鍵盤蓋を開蓋する際に鍵盤蓋の左右方向の位置によって相違する鍵盤蓋の背面と上前板との距離に対応して、複数種類の厚みが相違するゴムボタンの中から適当な厚みを有するゴムボタンを選択して取り付ける場合があった。そして、例えば鍵盤蓋もしくは上前板が反りや捩れを有している場合に備えて、複数種類の厚みが相違するゴムボタンを保管していた。その結果、保管する種類が１種類の場合と比較して、保管するゴムボタンの種類数が増大するため部品管理コストが増大するという問題点があった。
【０００６】
また、例えば複数のゴムボタンによって鍵盤蓋を略均等に緩衝できるように、複数種類の厚みが相違するゴムボタンの中から適当な厚みを有するゴムボタンを選択して取り付ける作業は、１回で終了するとは限らなかった。その理由は、例えば鍵盤蓋を開放する際に鍵盤蓋の左右方向の位置によって相違する鍵盤蓋の背面と上前板との距離に対応して、複数種類の厚みが相違するゴムボタンの中から適当な厚みを有するゴムボタンを選択して取り付けてから、複数のゴムボタンによって鍵盤蓋を略均等に緩衝できているか否かを判断するからである。そして、適当な厚みを有するゴムボタンを選択して取り付けてから、複数のゴムボタンによって鍵盤蓋を略均等に緩衝できていないと判断した場合には、取り付けたゴムボタンを取り外して、適当な厚みを有するゴムボタンを選択して取り付ける作業を繰り返すからである。つまり、従来の鍵盤楽器のゴムボタンでは、適当な厚みを有するゴムボタンを選択して取り付ける作業が１回で終了するとは限らず、複数回発生し得るという問題点があった。
【０００７】
本発明は、このような課題を解決するためになされたものであり、部品管理コストが増大しないで、ゴムボタンを取り付ける作業が１回で終了する緩衝器を提供することを目的としている。
【課題を解決するための手段】
【０００８】
上述した問題点を解決するためになされた本発明の緩衝器（１０ａ〜１０ｆ：なお、この欄においては、発明に対する理解を容易にするため、必要に応じて「発明を実施するための最良の形態」欄において説明した構成要素を括弧内に示すが、この記載によって特許請求の範囲を限定することを意味するものではない。）は、鍵盤楽器本体（２）と鍵盤楽器本体の一部を開放可能な開閉部材（２６，３４）との間に配設され、鍵盤楽器本体に当接する開閉部材を緩衝する緩衝器（１０ａ〜１０ｆ）であって、鍵盤楽器本体に当接する開閉部材を緩衝するための緩衝器本体（１１０）と、鍵盤楽器本体または開閉部材のいずれか一方と緩衝器本体との間に配設され、その一部が鍵盤楽器本体または開閉部材のいずれか一方に固定可能な固定部材（１２０）と、固定部材が鍵盤楽器本体または開閉部材のいずれか一方に固定される固定面（１２０ｅ）から緩衝器本体が鍵盤楽器本体または開閉部材のいずれか他方と当接する当接面（１１０ｂ）までの距離を調整可能な調整機構（１１０ａ，１２０ａ）と、を備える。
【０００９】
なお、上述の開閉部材の具体例としては、鍵盤を開放する位置と閉鎖する位置との間で回動可能な鍵盤蓋や、鍵盤楽器の本体内部を開放する位置と閉鎖する位置との間で回動可能な屋根などが挙げられる。
【００１０】
上述のような本発明の緩衝器によれば、調整機構が鍵盤楽器本体または開閉部材のいずれか一方に固定される固定部材の固定面から鍵盤楽器本体または開閉部材のいずれか他方と当接する緩衝器本体の当接面までの距離を調整できるので、例えば鍵盤蓋もしくは上前板が反りや捩れを有している場合であっても、１種類の緩衝器によって鍵盤蓋を略均等に緩衝できる。その理由は、鍵盤蓋を開蓋する際に鍵盤蓋の左右方向の位置によって相違する鍵盤蓋の背面と上前板との距離に対応して、複数の緩衝器の固定部材の固定面から緩衝器本体の当接面までの距離を調整機構が調整できるからである。したがって、複数種類の厚みが相違するゴムボタンを保管する場合と比較して、保管する緩衝器の種類数が１種類と少ないので部品管理コストを少なくできる。
【００１１】
また、調整機構が鍵盤楽器本体または開閉部材のいずれか一方に固定される固定部材の固定面から鍵盤楽器本体または開閉部材のいずれか他方と当接する緩衝器本体の当接面までの距離を調整できるので、例えば鍵盤蓋を略均等に緩衝できるようにするために、従来の鍵盤楽器のゴムボタンのように取り付けたゴムボタンを取り外して、適当な厚みを有するゴムボタンを選択して取り付ける作業を繰り返す作業は発生し得ない。したがって、複数の緩衝器の取り付け作業を１回で終了できる。
【００１２】
なお、上述の調整機構は、請求項２に記載のように、緩衝器本体または固定部材のいずれか一方が有する雄ネジ部（１１０ａ）と、緩衝器本体または固定部材のいずれか他方が有する雄ネジ部に螺合可能な雌ネジ部（１２０ａ）とから構成されているとよい。このように構成された緩衝器によれば、例えば緩衝器本体が有する雄ネジ部が、固定部材が有する雌ネジ部に螺合可能であるので、緩衝器の固定部材の固定面から緩衝器本体の当接面までの距離を、固定部材に対して緩衝器本体を回転させることによって容易に調整できる。
【００１３】
また、上述の固定部材は、請求項３に記載のように、その固定面から突出し、鍵盤楽器本体または開閉部材のいずれか一方に鋲差し可能な針部（１２０ｃ）を有してもよい。このように構成された緩衝器によれば、その固定部材が、その固定面から突出し、鍵盤楽器本体または開閉部材のいずれか一方に鋲差し可能な針部を有しているので、接着剤などを用意しなくてもそのまま固定部材が有する針部を例えば木製の上前板へ鋲差しすることによって、鍵盤楽器の緩衝器は木製の上前板に容易に固定される。
【００１４】
また、上述の固定部材（４２０）は、請求項４に記載のように、その固定面に設けられ、鍵盤楽器本体または開閉部材のいずれか一方に接着可能な粘着部（４２０ｃ）を有してもよい。このように構成された緩衝器によれば、固定部材が、その固定面に設けられ、鍵盤楽器本体または開閉部材のいずれか一方に接着可能な粘着部を有しているので、接着剤などを用意しなくてもそのまま固定部材が有する粘着部を例えば木製の上前板へ接着することによって、鍵盤楽器の緩衝器は木製の上前板に容易に固定される。この粘着部は例えば両面接着テープによって構成される。
【００１５】
また、上述の緩衝器が例えば木製の上前板に設けられた雄ネジ部または雌ネジ部に容易に固定されてもよい。すなわち、請求項５に記載のように、固定部材（５２０）は、鍵盤楽器本体または開閉部材のいずれか一方が有する雄ネジ部または雌ネジ部に螺合可能なネジ部（５２０ｃ）を有するとよい。このように構成された緩衝器によれば、固定部材が、その固定面に形成され、鍵盤楽器本体または開閉部材のいずれか一方に有する雄ネジ部または雌ネジ部に螺合可能な雌ネジ部または雄ネジ部を有しているので、接着剤などを用意しなくてもそのまま固定部材が有する雌ネジ部または雄ネジ部を例えば木製の上前板に設けられた雄ネジ部または雌ネジ部へ螺合することによって、緩衝器は木製の上前板に容易に固定される。
【００１６】
なお、本発明を請求項１〜請求項５のいずれかに記載された緩衝器が配設された鍵盤楽器として構成してもよい。すなわち、請求項６に記載のように、鍵盤楽器は、鍵盤楽器本体（２）と鍵盤楽器本体の一部を開放可能な開閉部材（２６，３４）との間に請求項１〜請求項５のいずれかに記載された緩衝器が配設されていてもよい。このように構成された鍵盤楽器によれば、鍵盤楽器本体と鍵盤楽器本体の一部を開放可能な開閉部材との間に請求項１〜請求項５のいずれかに記載された緩衝器が配設されているので、鍵盤楽器として、請求項１〜請求項５のいずれかに記載された緩衝器と同様の作用効果を奏する。
【００１７】
なお、上述の開閉部材は、請求項７に記載のように、鍵盤を開放可能な鍵盤蓋（３４）であることが考えられる。このように構成された鍵盤楽器によれば、鍵盤蓋もしくは上前板が反りや捩れを有している場合であっても、１種類の緩衝器によって鍵盤蓋の荷重を略均等に支持できる。
【００１８】
また、上述の開閉部材は、請求項８に記載のように、鍵盤楽器本体の内部を開放可能な屋根であることが考えられる。なお、この屋根の具体例としては、アップライトピアノにおける屋根前や、グランドピアノにおける大屋根などが挙げられる。このように構成された鍵盤楽器によれば、屋根もしくは鍵盤楽器本体が反りや捩れを有している場合であっても、１種類の緩衝器によって屋根の荷重を略均等に支持できる。
【発明を実施するための最良の形態】
【００１９】
以下、本発明が適用された実施形態のアップライトピアノ１（以下、ピアノ１とも称する）について図面を用いて説明する。
［構成の説明］
図１（ａ）は本実施形態の緩衝器１０ａ〜１０ｆが固定されているピアノ１の正面図であり、図１（ｂ）は本実施形態の緩衝器１０ａ〜１０ｆが固定されているピアノ１の部分破断側面図である。図２（ａ）は本実施形態の緩衝器１０の縦断面図である。なお、以下の説明においては、ピアノ１を演奏者から見た場合の手前側（図１（ｂ）参照）を「前」、奥側を「後」、上側を「上」、下側を「下」とし、左側（図１（ａ）参照）を「左」、右側を「右」として説明する。
【００２０】
図１（ａ）に示す本実施形態のピアノ１は、ピアノ本体２と、ピアノ本体２の前部を支持する左右一対の脚部４と、ピアノ本体２の前部と後部との四隅に配置されたキャスタ６と、ピアノ本体２の下部から前方へ延びるペダルユニット８とを備えている。次に、ピアノ本体２について説明する。
【００２１】
ピアノ本体２は、その正面上部を構成する上前板２２と、正面下部を構成する下前板２４と、上面を構成する屋根前２６及び屋根後２８と、側面を構成する親板３０，３２と、口棒２１、鍵盤蓋３４及び鍵盤３６の下部を構成する棚板２０と、上前板２２に取り付けられた長尺状の被覆部材７０，７２と、鍵盤蓋３４の後方の上面を構成する下屋根３８と、口棒２１の上面の左右端部に固定された緩衝器１０ａ，１０ｄと、被覆部材７０，７２の前面の下部近傍に固定された緩衝器１０ｂ，１０ｅと、親板３０，３２の上面の前部に固定された緩衝器１０ｃ，１０ｆなどを備えている。なお、口棒２１、被覆部材７０，７２、及び親板３０，３２は、木材からなる。
【００２２】
次に、ピアノ本体２に対して開放する位置と閉鎖する位置との間で回動可能な鍵盤蓋３４及び屋根前２６の構成と、緩衝器１０ａ〜１０ｆの構成について順に説明する。なお、緩衝器１０ａ〜１０ｆの構成はそれぞれ同一であるので、構成要素の符号については数字の後に英字ａ〜ｆを付さないで以下説明する。
【００２３】
鍵盤蓋３４は、Ｌ字状の断面形状を有し、その平板部の一端（鍵盤蓋３４の開放時は下端となる）が、下屋根３８の一端（鍵盤蓋３４の開放時は前端となる）に蝶番（図示せず）を介して回動可能に取り付けられている。そして、鍵盤蓋３４は、蝶番を中心として、図１（ｂ）に示すように、鍵盤３６を開放する位置と閉鎖する位置との間で回動する。
【００２４】
そして、口棒２１の上面の左右端部に固定された緩衝器１０ａ，１０ｄは、鍵盤蓋３４が鍵盤３６を閉鎖する位置に回動した際に口棒２１に当接する鍵盤蓋３４の屈曲部の先端面を緩衝する。
【００２５】
また、被覆部材７０，７２の前面の下部近傍に固定された緩衝器１０ｂ，１０ｅは、鍵盤蓋３４が鍵盤３６を開放する位置に回動した際に被覆部材７０，７２に当接する鍵盤蓋３４の屈曲部の外面を緩衝する。
【００２６】
屋根前２６は、略矩形の形状を有し、その一端（屋根前２６の開放時は下端となる）が、屋根後２８の一端（鍵盤蓋３４の開放時は前端となる）に蝶番（図示せず）を介して回動可能に取り付けられている。そして、鍵盤蓋３４は、蝶番を中心として、図１（ｂ）に示すように、鍵盤３６を開放する位置と閉鎖する位置との間で回動する。
【００２７】
そして、親板３０，３２の上面の前部に固定された緩衝器１０ｃ，１０ｆは、屋根前２６がピアノ本体２の内部を閉鎖する位置に回動した際に親板３０，３２に当接する屋根前２６の下面の前部を緩衝する。
【００２８】
緩衝器１０は、図２（ａ）に示すように、固定部材１２０と、緩衝器本体１１０とから構成されている。
この固定部材１２０は、例えば鉄材などの剛性の高い材料からなり、略円板状の座部１２０ｂと、この座部１２０ｂの円縁から立設された略円筒状の筒部１２０ｄと、座部１２０ｂの固定面１２０ｅの略中央部から突出された針部１２０ｃとを備えている。そして、この筒部１２０ｄの内周には、雌ネジ部１２０ａが形成されている。
【００２９】
また、緩衝器本体１１０は、例えばネオプレンゴムなどの弾性材料によって一体成形され、略柱状の形状をなし、その一端部の外周には上述した雌ネジ部１２０ａに螺合可能な雄ネジ部１１０ａが形成されて、その他端部の端面には円蓋状の当接面１１０ｂが形成されている。
【００３０】
そして、緩衝器本体１１０の一端部に形成された雄ネジ部１１０ａが固定部材１２０の筒部１２０ｄの内周に形成された雌ネジ部１２０ａに螺合することによって、緩衝器本体１１０と固定部材１２０とが一体化され、緩衝器１０として構成される。
【００３１】
以上のように構成された緩衝器１０は、固定部材１２０の座部１２０ｂの固定面１２０ｅから緩衝器本体１１０の当接面１１０ｂまでの距離を、緩衝器本体１１０の雄ネジ部１１０ａを固定部材１２０の雌ネジ部１２０ａに対して螺合方向または反螺合方向に回転させることによって調整できる。
【００３２】
なお、本実施形態においては、ピアノ本体２が「鍵盤楽器本体」に相当し、屋根前２６及び鍵盤蓋３４が「開閉部材」に相当し、固定部材１２０が備える座部１２０ｂの固定面１２０ｅが「固定面」に相当し、雄ネジ部１１０ａと雌ネジ部１２０ａとが「調整機構」に相当する。
【００３３】
［作動の説明］
次に、緩衝器１０と、口棒２１の上面の左右端部に固定された緩衝器１０ａ，１０ｄと、被覆部材７０，７２の前面の下部近傍に固定された緩衝器１０ｂ，１０ｅと、親板３０，３２の上面の前部に固定された緩衝器１０ｃ，１０ｆの作動について説明する。
【００３４】
［緩衝器１０の作動］
まず、緩衝器１０は、上述したように、固定部材１２０の座部１２０ｂの固定面１２０ｅから緩衝器本体１１０の当接面１１０ｂまでの距離を、緩衝器本体１１０の雄ネジ部１１０ａを固定部材１２０の雌ネジ部１２０ａに対して螺合方向または反螺合方向に回転させることによって調整できる。なお、ピアノ１に緩衝器１０を固定する前には、例えば緩衝器本体１１０の雄ネジ部１１０ａを固定部材１２０の雌ネジ部１２０ａに対して螺合方向に回転させて、緩衝器本体１１０の一端部の端面１１０ｃが固定部材１２０の座部１２０ｂの上面１２０ｆと密着させておく。そして、ピアノ１に緩衝器１０を固定した後に、固定部材１２０の座部１２０ｂの固定面１２０ｅから緩衝器本体１１０の当接面１１０ｂまでの距離を長く調整する場合には、緩衝器本体１１０の雄ネジ部１１０ａを固定部材１２０の雌ネジ部１２０ａに対して反螺合方向に回転させる。
【００３５】
［口棒２１の上面の左右端部に固定された緩衝器１０ａ，１０ｄの作動］
まず、緩衝器１０ａ，１０ｄは、それらの固定部材１２０の固定面１２０ｅを口棒２１の上面に密着するまで、それらの針部１２０ｃを木材からなる口棒２１の上面の左右端部に上方から鋲差しすることによって固定される。
【００３６】
そして、口棒２１の上面の左右端部に固定された緩衝器１０ａ，１０ｄが、鍵盤蓋３４が鍵盤３６を閉鎖する位置に回動した際に口棒２１に当接する鍵盤蓋３４の屈曲部の先端面を略均等に緩衝するように調整される。具体的には、左右の緩衝器１０ａ，１０ｄそれぞれが備える緩衝器本体１１０の当接面１１０ｂのいずれか一方が、鍵盤蓋３４が鍵盤３６を閉鎖する位置に回動した際に初めに鍵盤蓋３４の屈曲部の先端面と当接した鍵盤蓋３４の回動角度において、他方の当接面１１０ｂと鍵盤蓋３４の屈曲部の先端面との距離を計測しておく。そして、その計測された距離に応じて、初めに鍵盤蓋３４の屈曲部の先端面と当接した緩衝器の固定部材１２０の固定面１２０ｅから緩衝器本体１１０の当接面１１０ｂまでの距離を、緩衝器本体１１０の雄ネジ部１１０ａを固定部材１２０の雌ネジ部１２０ａに対して反螺合方向に回転させることによって長く調整する。すると、左右の緩衝器１０ａ，１０ｄそれぞれが備える緩衝器本体１１０の当接面１１０ｂの双方が、鍵盤蓋３４が鍵盤３６を閉鎖する位置に回動した際に殆ど同じ鍵盤蓋３４の回動角度において鍵盤蓋３４の屈曲部の先端面と当接するように調整される。よって、左右の緩衝器１０ａ，１０ｄは、鍵盤蓋３４が鍵盤３６を閉鎖する位置に回動した際に口棒２１に当接する鍵盤蓋３４の屈曲部の先端面を略均等に緩衝するように調整される。
【００３７】
したがって、鍵盤蓋３４が鍵盤３６を閉鎖する位置に回動すると、左右の緩衝器１０ａ，１０ｄが、口棒２１に当接する鍵盤蓋３４の屈曲部の先端面を略均等に緩衝する。
［被覆部材７０，７２の前面の下部近傍に固定された緩衝器１０ｂ，１０ｅの作動］
まず、緩衝器１０ｂ，１０ｅは、それらの固定部材１２０の固定面１２０ｅを被覆部材７０，７２の前面に密着するまで、それらの針部１２０ｃを木材からなる被覆部材７０，７２の前面の下部近傍に前方から鋲差しすることによって左右対称に固定される。
【００３８】
そして、被覆部材７０，７２の前面の下部近傍に固定された緩衝器１０ｂ，１０ｅが、鍵盤蓋３４が鍵盤３６を開放する位置に回動した際に被覆部材７０，７２に当接する鍵盤蓋３４の屈曲部の外面を略均等に緩衝するように調整される。具体的には、上述した口棒２１の上面の左右端部に固定された緩衝器１０ａ，１０ｄと同様にして調整される。
【００３９】
したがって、鍵盤蓋３４が鍵盤３６を開放する位置に回動すると、左右の緩衝器１０ｂ，１０ｅが、被覆部材７０，７２に当接する鍵盤蓋３４の屈曲部の外面を略均等に緩衝する。
【００４０】
［親板３０，３２の上面の前部に固定された緩衝器１０ｃ，１０ｆの作動］
まず、緩衝器１０ｃ，１０ｆ、それらの固定部材１２０の固定面１２０ｅを親板３０，３２の上面に密着するまで、それらの針部１２０ｃを木材からなる親板３０，３２の上面の前部に上方から鋲差しすることによって左右対称に固定される。
【００４１】
そして、親板３０，３２の上面の前部に固定された緩衝器１０ｃ，１０ｆが、屋根前２６がピアノ本体２の内部を閉鎖する位置に回動した際に親板３０，３２に当接する屋根前２６の下面の前部を略均等に緩衝するように調整される。具体的には、上述した口棒２１の上面の左右端部に固定された緩衝器１０ａ，１０ｄと同様にして調整される。
【００４２】
したがって、屋根前２６がピアノ本体２の内部を閉鎖する位置に回動すると、左右の緩衝器１０ｃ，１０ｆが、親板３０，３２に当接する屋根前２６の下面の前部を略均等に緩衝する。
【００４３】
［効果の説明］
本実施形態の緩衝器によれば、次のような効果を奏する。すなわち、従来の緩衝器としてのゴムボタンにおいては、厚さを調整できなかったので、鍵盤蓋もしくは上前板が反りや捩れを有している場合に備えて、複数種類の厚みが相違するゴムボタンを保管していた。よって、保管するゴムボタンの種類数が増大するため部品管理コストが増大するという問題点があった。また、適当な厚みを有するゴムボタンを選択して取り付ける作業が１回で終了するとは限らず、複数回発生し得るという問題点があった。
【００４４】
それに対して、本実施形態の緩衝器１０によれば、緩衝器本体１１０の一端部に形成された雄ネジ部１１０ａが固定部材１２０の筒部１２０ｄの内周に形成された雌ネジ部１２０ａに螺合することによって、緩衝器本体１１０と固定部材１２０とが一体化され、緩衝器１０として構成されているので、固定部材１２０の座部１２０ｂの固定面１２０ｅから緩衝器本体１１０の当接面１１０ｂまでの距離を、緩衝器本体１１０の雄ネジ部１１０ａを固定部材１２０の雌ネジ部１２０ａに対して螺合方向または反螺合方向に回転させることによって調整できる。よって、例えば鍵盤蓋３４もしくは上前板２２が反りや捩れを有している場合であっても、１種類の緩衝器１０によって鍵盤蓋３４を略均等に緩衝できる。したがって、複数種類の厚みが相違するゴムボタンを保管する場合と比較して、保管する緩衝器１０の種類数が１種類と少ないので部品管理コストを少なくできる。
【００４５】
また、本実施形態の緩衝器１０によれば、上述のように固定部材１２０の座部１２０ｂの固定面１２０ｅから緩衝器本体１１０の当接面１１０ｂまでの距離を調整できるので、例えば鍵盤蓋３４を略均等に緩衝するために、従来のゴムボタンのように取り付けたゴムボタンを取り外して、適当な厚みを有するゴムボタンを選択して取り付ける作業を繰り返す作業は発生し得ない。したがって、複数の緩衝器の取り付け作業を１回で終了できる。
【００４６】
［他の実施形態］
以上、本発明の実施形態について説明したが、本発明は上記実施形態に限定されるものではなく、以下のような様々な態様にて実施することが可能である。
【００４７】
（１）上記実施形態では、緩衝器１０は、その固定部材１２０が針部１２０ｃを備えていたが、これには限らない。図２（ｂ）に例示するように、緩衝器４０は、その固定部材４２０が備える座部４２０ｂの固定面４２０ｅに設けられ、例えば木材からなる口棒２１に接着可能な粘着部４２０ｃと剥離紙４２０ｇとを有していてもよい。
【００４８】
このように構成された実施形態においては、緩衝器４０は、接着剤などを用意しなくても、その剥離紙４２０ｇを剥がしてから固定部材４２０が有する粘着部４２０ｃを例えば木材からなる口棒２１の上面に接着することによって、口棒２１の上面に容易に固定される。なお、この粘着部４２０ｃと剥離紙４２０ｇとは例えば両面接着テープによって構成される。
【００４９】
（２）上記実施形態では、緩衝器１０は、その固定部材１２０が針部１２０ｃを備えていたが、これには限らない。図２（ｃ）に例示するように、緩衝器５０は、例えば木材からなる口棒２１が有する雌ネジ部（図示せず）に螺合可能な雄ネジ部５２０ｃを有していてもよい。
【００５０】
このように構成された実施形態においては、緩衝器５０は、接着剤などを用意しなくても、そのまま固定部材５２０が有する雄ネジ部５２０ｃを例えば木材からなる口棒２１が有する雌ネジ部へ螺合することによって、口棒２１の上面に容易に固定される。
【図面の簡単な説明】
【００５１】
【図１】（ａ）は本実施形態の緩衝器１０ａ〜１０ｆが固定されているピアノ１の正面図であり、（ｂ）は本実施形態の緩衝器１０ａ〜１０ｆが固定されているピアノ１の部分破断側面図である。
【図２】（ａ）は本実施形態の緩衝器１０の縦断面図であり、（ｂ）は他の実施形態の緩衝器４０の縦断面図であり、（ｃ）は他の実施形態の緩衝器５０の縦断面図であり、（ｄ）は、従来のゴムボタン６０の縦断面図である。
【符号の説明】
【００５２】
１…アップライトピアノ、２…ピアノ本体、４…脚部、６…キャスタ、８…ペダルユニット、１０，１０ａ〜１０ｆ，４０５０…緩衝器、２０…棚板、２１…口棒、２２…上前板、２４…下前板、２６…屋根前、２８…屋根後、３０，３２…親板、３４…鍵盤蓋、３６…鍵盤、３８…下屋根、６０…ゴムボタン、７０，７２…被覆部材、１１０，４１０，５１０，６１０…緩衝器本体、１１０ａ，４１０ａ，５１０ａ…雄ネジ部、１１０ｂ，４１０ｂ，５１０ｂ，６１０ｂ…当接面、１１０ｃ，４１０ｃ，５１０ｃ…端面、６１０ｃ…固定面、１２０，４２０，５２０，６２０…固定部材、１２０ａ，４２０ａ，５２０ａ…雌ネジ部、１２０ｂ，４２０ｂ，５２０ｂ，６２０ｂ…座部、１２０ｃ，６２０ｃ…針部、１２０ｄ，４２０ｄ，５２０ｄ…筒部、１２０ｅ，４２０ｅ，５２０ｅ…固定面、１２０ｆ，４２０ｆ，５２０ｆ…上面、４２０ｃ…粘着部、４２０ｇ…剥離紙、５２０ｃ…雄ネジ部、６１０ｃ…固定面。
【図１】
2008015171.tif 000003
【図２】
2008015171.tif 000004